(57)【要約】【課題】  断熱性紙製容器に用いる原材料シートにおいて、紙基材の坪量を過度に高くすることなく、十分な発泡性が得られ断熱性に優れ、加工適性にも優れる原材料シートを提供する。【解決手段】  断熱性紙製容器に用いる原材料シートにおいて、紙基材の少なくとも片面に熱可塑性樹脂層を形成した原材料シートであって、該紙基材がグリセリンを０．３ｇ／ｍ２以上０．８ｇ／ｍ２以下含有させる。グリセリンの紙基材への含有方法は外添が好ましく、外添する際のバインダーとして、澱粉、酸化澱粉、加工澱粉、カルボキシメチルセルロース、ポリアクリルアミド、ポリビニルアルコールから選択される１種又は複数を使用することが好ましい。【選択図】  図１
2009243015.tif 000002
【特許請求の範囲】
【請求項１】
断熱性紙製容器に用いる原材料シートにおいて、紙基材の少なくとも片面に熱可塑性樹脂層を形成した原材料シートであって、該紙基材がグリセリンを０．３ｇ／ｍ２以上０．８ｇ／ｍ２以下含有することを特徴とする原材料シート。
【請求項２】
グリセリンを外添によって紙基材に含有させることを特徴とする請求項１記載の原材料シート。
【請求項３】
外添のバインダーとして、澱粉、酸化澱粉、加工澱粉、カルボキシメチルセルロース、ポリアクリルアミド、ポリビニルアルコールから選択される１種又は複数が含まれていることを特徴する請求項２記載の原材料シート。
【請求項４】
胴部材と底板部材とからなる断熱性紙製容器において、胴部材及び／又は底板部材は紙基材の少なくとも片面に熱可塑性樹脂製発泡層を備えた紙製材料を用いた断熱性紙製容器であって、前記紙基材がグリセリンを０．３ｇ／ｍ２以上０．８ｇ／ｍ２以下含有されており、前記熱可塑性樹脂製発泡層が紙基材に含有されている水分を加熱蒸発させて発泡形成された層であることを特徴とする断熱性紙製容器。
【発明の詳細な説明】
【技術分野】
【０００１】
本発明は、断熱性を必要とする紙製容器及び容器用の原材料シートに関する。
【背景技術】
【０００２】
ハンバーガーショップなどのファーストフード店や列車の車内あるいは自動販売機などでコーヒーあるいはスープなどの温飲料が購入者に供される場合、およびカップ入り即席ラーメンなどでは一般的に断熱容器が使用されている。
【０００３】
従来、このような用途に使用される容器としては、発泡ポリスチレン（ＥＰＳ）製の断熱性を有するものが知られている。これはポリスチレンに発泡剤を加える工程を経た後、この材料をモールド内に注型し、その後、熱と圧力を加えて原料を発泡させ、成型容器を型から取り出すことによって製造される。このようにして得られた断熱性容器は断熱性の点では非常に優れている。しかし、この容器は全体のプラスチックを発泡させていることから嵩があり、ゴミ量が多くなる。そして、使用後にゴミとして焼却処分する際、高熱を発して燃焼するため焼却炉を損傷し易く、石油資源の節約の観点からも見直しが求められている。また、環境ホルモンとしての人体への悪影響も懸念される、さらに、発泡ポリスチレンの外表面は微小な凹凸が多数存在するので、外表面に模様、文字、記号などを印刷しても鮮明に表現されない、紙カップに比べ肉厚強度が弱く即席麺などの比較的大きな容器の場合輸送中に割れたりすることがある、など欠点もあった。
【０００４】
一方、前記の発泡プラスチック製容器の他に、例えば、特許文献１（特開昭５７−１１０４３９号公報）には、容器胴部材及び底板部材からなる紙製容器において、容器胴部材の外壁面に低融点の熱可塑性合成樹脂フィルムをラミネートし、加熱することにより、基材である紙に含まれている水分の蒸気圧を利用してフィルムを凹凸に発泡させる技術が記載されている。このとき、紙の他面には、加熱時に蒸気圧を保持する層として、同様の発泡層となる熱可塑性合成樹脂フィルムをラミネートするか、又は、アルミ箔をコーティグすることが記載されている。この容器は比較的良好な断熱性を有し、安価に、かつ、容易に製造することができるなどの利点を有する。
【０００５】
同じく、紙に含有されている水分の加熱蒸発により発泡させる技術として、特許文献２（特許第３５９６６８１号公報）には、胴部材の一方の壁面に、紙の表面側から低融点の熱可塑性樹脂の発泡内層とこれよりも高い融点を有する熱可塑性樹脂の非発泡外層とからなる２層構造断熱膜が被着されており、発泡内層と紙との層間強度、紙の坪量、発泡層および非発泡外層の膜厚を規定した紙製容器が記載されている。特許文献２にはまた、紙の他面に、加熱時に蒸気圧を保持する層として高融点の熱可塑性樹脂をラミネートすることが記載されている。
【０００６】
また、特許文献３には、容器胴部材の開口上縁に上部フランジ部を有する紙製容器が記載されており、フランジ部を断面角形に強制加工することにより、フランジ部が発泡せず、口当たりが良くなることが記載されている。さらに、フランジ部の内側巻き込み端をフランジ部の上部に重合させて二重構造にすることにより、強度が高まることが記載されている。
【０００７】
【特許文献１】特開昭５７−１１０４３９号公報
【特許文献２】特許第３５９６６８１号公報
【特許文献３】特開２００１−３５４２２６号公報
【発明の開示】
【発明が解決しようとする課題】
【０００８】
特許文献１あるいは２に記載の容器は、紙を基材とし、ラミネート層（樹脂層）は石油を原料に作られているもののその厚さは断熱性に必要な最小限に抑えられている。そのため、化石燃料の使用が極力削減されており、全体が発泡ポリスチレンからなる容器に比べて環境負荷が小さく、また印刷性にも優れる。
【０００９】
しかし、紙基材中に含まれていた水分を加熱蒸発させ、この蒸発水分により熱可塑性樹
脂層を発泡させて断熱性を付与する機構であることから、紙中の水分が少ないと発泡が不十分となり、十分に発泡しないと高い断熱性は得られない。そして、坪量の低い紙は含水量が小さく発泡性に劣るため、紙基材としては高坪量のものを使用しなければならない。
【００１０】
一方、紙製容器は、胴部材と底板部材とからカップの形に成型したり、特に容器胴部材の開口上縁には、飲食する際の口当たりや強度付与のため特許文献３のように上部フランジ部が設けられるが、坪量の高い紙を用いた場合は成型加工しにくく、また、全体のコストアップも招く。さらに、容器が軽量であると輸送面やリサイクルの面から有利であり、紙の坪量は低いことが望ましい。
【００１１】
そこで、本発明は、紙基材の坪量を高くすることなく、十分な発泡性が得られ断熱性に優れ、加工適性にも優れる紙製容器に使用される原材料シートを提供することを目的とする。
【課題を解決するための手段】
【００１２】
本発明は、グリセリンを含有した紙基材を用いることにより良好な断熱発泡層を形成した原材料シートである。本願発明の主な構成は次のとおりである。
（１）断熱性紙製容器に用いる原材料シートにおいて、紙基材の少なくとも片面に熱可塑性樹脂層を形成した原材料シートであって、該紙基材がグリセリンを０．３ｇ／ｍ２以上０．８ｇ／ｍ２以下含有することを特徴とする原材料シート。
（２）グリセリンを外添によって紙基材に含有させることを特徴とする（１）記載の原材料シート。
（３）外添のバインダーとして、澱粉、酸化澱粉、加工澱粉、カルボキシメチルセルロース、ポリアクリルアミド、ポリビニルアルコールから選択される１種又は複数が含まれていることを特徴する（２）記載の原材料シート。
（４）胴部材と底板部材とからなる断熱性紙製容器において、胴部材及び／又は底板部材は紙基材の少なくとも片面に熱可塑性樹脂製発泡層を備えた紙製材料を用いた断熱性紙製容器であって、前記紙基材がグリセリンを０．３ｇ／ｍ２以上０．８ｇ／ｍ２以下含有されており、前記熱可塑性樹脂製発泡層が紙基材に含有されている水分を加熱蒸発させて発泡形成された層であることを特徴とする断熱性紙製容器。
【発明の効果】
【００１３】
（１）発泡性良好で十分な発泡層の厚さが得られ、断熱性に優れ、加工適性に優れた紙製容器用の原材料シートが提供できる。
（２）低坪量の紙を使用しても、発泡に必要な水分を確保できるので高坪量の紙を使用した場合と同等の断熱効果を付与することができる。これにより、容器の縁部の折り曲げ加工性を確保できるともに、省資源化およびコストダウンが可能である。
（３）発泡ポリスチレンを使用しない紙を主成分とする容器であり、環境に配慮した容器、人体への影響が少ない容器であって、紙系のゴミとして処理することができる。
【発明を実施するための最良の形態】
【００１４】
以下、本発明の断熱性紙製容器について図面に基づき説明するが、本発明はこれらに限定されるものではない。
【００１５】
図１は、本発明による断熱性紙製容器の一例の断面図である。本発明の紙製容器１は、基本的に胴部材２と底板部材３とから構成されている。
【００１６】
図２は、図１においてＹで示された胴部の部分拡大断面斜視図である。本例では、胴部材の外壁面側（容器外側）に、紙基材４の表面に熱可塑性樹脂製発泡層すなわち発泡した熱可塑性樹脂層５（以下、発泡熱可塑性樹脂層５という）が存在しており、発泡熱可塑性樹脂層５は、発泡セル６が並んだ構造となっている。胴部の内壁面側（容器内側）には、発泡熱可塑性樹脂層５の熱可塑性樹脂よりも融点の高い熱可塑性樹脂からなる熱可塑性樹脂層７（以下、非発泡熱可塑性樹脂層７という）が存在している。この非発泡熱可塑性樹脂層７は、後述するように、容器製造における加熱処理の際に発泡せず、紙基材からの蒸発水分の逃散を防止して発泡熱可塑性樹脂層５を確実かつ十分に発泡させるものである。
【００１７】
本発明で使用される紙とは、植物繊維または植物繊維とその他の繊維とを絡み合わせ膠着させて製造したものをいい、製紙分野で公知の方法により製造される。植物繊維としては針葉樹または広葉樹などの木材繊維、ミツマタ、コウゾなどの靭皮繊維、バガス、ケナフ、麻などの非木材繊維、木綿繊維、古紙等が挙げられこれらに限定されるものではないが、地球環境問題を背景とした廃棄物処理や環境負荷の観点から、植物繊維１００％の組成からなる紙が好ましい。
【００１８】
木材繊維のパルプとして、具体的には、針葉樹、広葉樹などを用いた化学パルプ；針葉樹の晒クラフトパルプ(ＮＢＫＰ)、未晒クラフトパルプ(ＮＵＫＰ)、広葉樹の晒クラフトパルプ(ＬＢＫＰ）、未晒クラフトパルプ（ＬＵＫＰ)等、機械パルプ；グラウンドウッドパルプ（ＧＰ)、リファイナーメカニカルパルプ（ＲＧＰ）、サーモメカニカルパルプ（ＴＭＰ）、ケミサーモメカニカルパルプ（ＣＴＭＰ)等、脱墨パルプ（ＤＩＰ）等が挙げられ、これらを単独または任意の割合で混合して使用される。なお、脱墨パルプは再生パルプとも呼ばれる。本発明では、中でも、針葉樹の晒クラフトパルプ（以下ＮＢＫＰという）または広葉樹の晒クラフトパルプ（以下ＬＢＫＰという）は、含水率および汎用性の面から好適である。
【００１９】
紙の製造方法としては、一般的に、上記のパルプ、水、および必要に応じて填料やその他薬品等を添加して調成した紙料を抄紙機のワイヤー上に噴射し、ワイヤーパートで脱水、プレスパートで搾水、ドライヤーパートで乾燥した後、また必要に応じて紙に強度や耐水性を付与するサイズプレスや、紙の表面の凹凸を整えるカレンダー処理を施して抄紙し、仕上がった紙を巻取り所定の巻取寸法に仕上げて完成される。また、紙に紙力や耐水性を付与するため、ＰＶＡ、澱粉、表面サイズ剤等の薬品を単独で、または適宜２種類以上を組み合わせて使用してもよい。なお、本発明における紙の製造はこれに制限されるものではない。
【００２０】
本発明の紙基材は、グリセリンを０．３ｇ／ｍ２以上０．８ｇ／ｍ２以下含有するのが必須である。前記のグリセリンの含有量が０．３ｇ／ｍ２未満であると発泡性が劣るため、必要な断熱性が得られない。また、前記のグリセリンの含有量が多くなると発泡性に優れ、発泡厚さは大きくなるが、０．８ｇ／ｍ２を超える量を含有させると、グリセリンが紙表面に大量に付着するため、原紙とラミネート層の接着性が低下し、発泡時に原紙とラミネート層の界面が剥離し易くなり、ブリスター状の過大な発泡が発生するため、印刷面の外観が著しく悪化し、商品価値を失う。また、剛度が低下するため、紙容器へ成型する際の加工適性が低下する。
【００２１】
本発明において、グリセリンの添加方法は外添が望ましい。外添により、紙基材中に含有させるためには、カレンダーサイジングや、２ロールサイズプレス、ロッドメタリングサイズプレス、ゲートロールコーター、ブレードメタリングコーター、ロッドメタリングコーター、ブレードコーター、ロッドコーター、スプレーコーター等の塗工機等を使用する。上記化合物を含有量が紙基材の面積当たりで固形分で０．３ｇ／ｍ２以上０．８ｇ／ｍ２以下、好ましくは０．３５ｇ／ｍ２以上０．７ｇ／ｍ２以下となるようにする。原紙の表面の凹凸を整えるカレンダーを施して抄紙し、仕上がった紙を巻取り所定の巻取寸法に仕上げて完成される。なお、本発明における紙の製造はこれに制限されるものではない。
【００２２】
本発明では、紙中の加熱蒸発水分を利用して熱可塑性樹脂層が発泡する機構であることから、紙の坪量が重要であり、坪量は含有される水分の量に影響する。坪量が低すぎる場合は、発泡に必要な水分が少ないためか十分に発泡せず、また、容器を手で把持したときに熱さを感じやすい。坪量が高すぎる場合は、水分量が多くなって必要以上に発泡し過発泡や発泡セルの破裂などを招いたり、胴部材として所望の剛度を超えて不経済であり、また、容器の成型加工性が低下して上部フランジ部の形成も困難になる。
【００２３】
本発明では、坪量が１００ｇ／ｍ２以上４００ｇ／ｍ２以下が好適であり、好ましくは２００ｇ／ｍ２以上、さらに好ましくは２５０ｇ／ｍ２以上、よりさらに好ましくは２７０ｇ／ｍ２以上３２０ｇ／ｍ２以下である。坪量が３２０ｇ／ｍ２以下であると容器の縁部の折り曲げ加工性を確保できるともに、省資源化およびコストダウンが可能である。紙中の含水率としては、５〜１５重量％が好ましく、５〜１０重量％であるとさらに好ましい。水分量は、１６〜３２ｇ／ｍ２程度が適当である。
【００２４】
パルプのろ水度に関わらず発泡性を向上させることが可能である。但し、ろ水度が低いパルプの場合、抄紙時に脱水性が悪化する、密度が高くなって嵩が出ない、不透明度が低下する、繊維の損傷が激しく紙の強度が著しく低下するなどの弊害もあり、容器として必要な厚さや剛度が得られ難いため、ろ水度の下限はＪＩＳ−Ｐ−８１２１に基づくカナダ標準ろ水度（以下、ＣＳＦと略することがある）で１５０ｍｌ以上であることが好ましい。
【００２５】
紙の密度は所望に応じて適宜設定すればよく特に限定されないが、密度が低い方が、蒸発水分が通りやすく発泡性が良好になると考えられ好ましい。但し、低過ぎると容器に必要な紙力が得られず、また、後述する熱可塑性樹脂層のラミネート適性に劣り、高過ぎると容器として必要な厚さが得られないため、０．６ｇ／ｃｍ３以上０．９ｇ／ｃｍ３以下が好適である。
【００２６】
本発明で用いられる紙は、填料は無配合でも配合してもよく、発泡性へ影響するため無配合が望ましいが、不透明度を高める観点からは配合してもよい。填料を配合する場合、種類は製紙分野で一般に使用されている填料が使用でき、特に限定されるものではない。例えば、クレー、焼成カオリン、デラミカオリン、重質炭酸カルシウム、軽質炭酸カルシウム、軽質炭酸カルシウム−シリカ複合物、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛などの無機填料、尿素−ホルマリン樹脂、ポリスチレン樹脂、フェノール樹脂、微小中空粒子等の有機填料が単独でまたは適宜２種類以上を組み合わせて使用される。また酸性抄紙では、前記中性抄紙で使用する填料から、酸溶解性のものを除いた填料が使用され、その単独または適宜2種類以上を組み合わせて使用される。
【００２７】
また、各種の内添サイズ剤を配合してもよく、従来から使用されている各種のノニオン性、カチオン性あるいは両性の歩留まり向上剤、濾水度向上剤、紙力向上剤等の製紙用内添助剤が必要に応じて適宜選択して使用される。さらに、例えば、硫酸バンド、塩化アルミニウム、アルミン酸ソーダや、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等が内添されてもよい。
【００２８】
その他、製紙用助剤として各種澱粉類、ポリアクリルアミド、尿素樹脂、メラミン樹脂、エポキシ樹脂、ポリアミド樹脂、ポリアミド、ポリアミン樹脂、ポリアミン、ポリエチレンイミン、植物ガム、ポリビニルアルコール、ラテックス、ポリエチレンオキサイド、親水性架橋ポリマー粒子分散物及びこれらの誘導体あるいは変性物等の各種化合物を使用できる。さらに、染料、蛍光増白剤、ｐＨ調整剤、消泡剤、ピッチコントロール剤、スライムコントロール剤等の抄紙用内添剤を用途に応じて適宜添加することもできる。
【００２９】
抄紙機の型式は特に限定は無く、長網抄紙機、ツインワイヤー抄紙機、円網式抄紙機、ギャップフォーマー、ハイブリッドフォーマー(オントップフォーマー)等の公用の抄紙機で抄紙することができる。プレス線圧は通常の操業範囲内で用いられる。また、平滑性を付与し印刷適性を向上させる目的などから、カレンダー処理を行ってもよい。カレンダーは通常の操業範囲内の線圧で用いられるが、本発明では水分の蒸発し易さの点から紙が嵩高である方がより望ましく、その場合には、紙の平滑性を維持できる範囲でなるべく低線圧またはバイパスが好ましい。また、通常のカレンダーよりもソフトカレンダーが好ましい。
【００３０】
本発明で用いられる紙は、全く塗工処理をしていないか、あるいは顔料を含まない表面処理剤を塗工してもよい。また、表面強度やサイズ性の向上の目的で、水溶性高分子を主成分とする表面処理剤を塗工してもよい。水溶性高分子としては、澱粉、酸化澱粉、加工澱粉、カルボキシメチルセルロース、ポリアクリルアミド、ポリビニルアルコール等の表面処理剤として通常使用されるものを単独、あるいはこれらの混合物を使用することができる。また、表面処理剤の中には、水溶性高分子の他に耐水化、表面強度向上を目的とした紙力増強剤やサイズ性付与を目的とした外添サイズ剤を添加することができる。表面処理剤の塗布方法としては、表面処理剤は、２ロールサイズプレスコーター、ゲートロールコーター、ブレードメタリングコーター、ロッドメタリングコーター等の塗工機によって塗布することができるが、ゲートロールコーターのような被膜転写方式の塗工機を使用する方が表面処理剤が紙表面に留まり、密度の増加が少なくなるので好ましい。また、本発明においては、前記のカレンダー処理時に表面処理剤や外添サイズ剤等を塗工してもよい。表面処理剤を塗布した後、通常のカレンダー処理を行っても良い。塗工機による表面処理剤の塗布は、表面強度の向上や紙粉の発生の防止効果が高い。さらに、通常、製紙の乾燥工程では抄紙機の幅方向中央になるほど乾きにくく、均一な水分プロファイルが得られにくいところ、塗工機によって水分を幅方向で揃えることができ、水分プロファイルが均一になることにより、加熱蒸発にムラがなく均質な発泡熱可塑性樹脂層を得ることができる。なお、表面処理剤を含まず水を用いてもよいが、ポリビニルアルコール、澱粉等は適度な粘度を持つため水に比べて広がりやすく、水分均一化の効果が大きくなるため好ましい。これらポリビニルアルコール、澱粉等の表面処理剤または水に、さらにグリセリンを添加して塗工を行う。表面処理剤の塗布量としては、片面当たり０．１ｇ／ｍ２以上３ｇ／ｍ２以下が好ましい。多すぎても水分蒸発が妨げられる傾向があるため、塗布量は２ｇ／ｍ２以下、より好ましくは０．９ｇ／ｍ２以下、さらに好ましくは０．５ｇ／ｍ２以下である。
【００３１】
本発明の紙製容器の胴部材原材料シートは、上記の紙基材上に、紙に含有されている水分の加熱蒸発により発泡する熱可塑性樹脂層を積層して作製される。
【００３２】
発泡熱可塑性樹脂層となる熱可塑性樹脂としては、押出しラミネートが可能でかつ発泡可能であれば特に制限されず、結晶性樹脂、非結晶性樹脂のどちらの熱可塑性樹脂も使用することができる。結晶性樹脂としてはポリエチレン、ポリプロピレン、ポリメチルペンテン等のポリオレフィン系樹脂や、ポリエステル系樹脂、ポリアミド、ポリアセタール、ＰＰＳ樹脂等を挙げることができる。非結晶性樹脂としては、ポリスチレン、ポリ塩化ビニル、ＡＢＳ樹脂、アクリル樹脂、変性ＰＰＥ、ポリカーボネート、ポリウレタン、ポリ酢酸ビニル、非結晶性ポリエチレンテレフタレート（ＰＥＴ）等を挙げることができる。これらの熱可塑性樹脂の融点としては、８０〜１２０℃程度が好ましい。また、これらの熱可塑性樹脂は単一の樹脂を単層で使用しても、複数の樹脂を複層で使用しても良いが、発泡性の点から単層であることが好ましい。
【００３３】
さらに、本発明では、ラミネート適性、発泡性に優れることからポリエチレンが好ましい。ポリエチレンは、大きくは直鎖状低密度ポリエチレン、低密度ポリエチレン、中密度ポリエチレン、高密度ポリエチレンに区分される。密度としては、直鎖状低密度ポリエチレンは８８８〜９１０ｋｇ／ｍ３、低密度ポリエチレンは９１０〜９２５ｋｇ／ｍ３、中密度ポリエチレンは９２５〜９４０ｋｇ／ｍ３、さらに高密度ポリエチレンは９４０〜９７０ｋｇ／ｍ３程度である。融点としては、直鎖状低密度ポリエチレンは５５℃〜１２０℃、低密度ポリエチレンは１０５〜１２０℃、中密度ポリエチレンは１２０〜１２５℃、さらに高密度ポリエチレンは１２５〜１３５℃程度である。
【００３４】
［非発泡熱可塑性樹脂層］
本発明では、発泡効率を高めるために、胴部材の発泡熱可塑性樹脂層を有する壁面の反対壁面側を、発泡熱可塑性樹脂層よりも融点の高い熱可塑性樹脂からなるとともに加熱処理した際に発泡しない熱可塑性樹脂層（非発泡熱可塑性樹脂層）、あるいはアルミ箔等で被覆することが好ましい。紙基材の片面が地のままだと、加熱処理の際にこの未被覆面から紙中の水分が大気中に蒸散してしまい、十分確実に発泡させることが難しくなる。従って、このような被覆層を設けることにより、紙中の水分を効率良く発泡に寄与させることができる。なお、これらの非発泡熱可塑性樹脂層やアルミ箔などは、胴部材の内壁面側に存在すると、充填液体等が紙中へ浸透することを防止でき好ましい。
【００３５】
同様に、発泡効率を高める目的で、発泡熱可塑性樹脂層の上に、非発泡熱可塑性樹脂層を設けることもできる。発泡熱可塑性樹脂層が胴部材の外壁面側に存在するときは、その表面は凹凸があり平滑ではないため、非発泡熱可塑性樹脂層の存在により、滑らかな手触りと光沢のある外観を得ることができ、容器の防水性もより向上する。
【００３６】
これらの非発泡熱可塑性樹脂層の熱可塑性樹脂は、発泡熱可塑性樹脂層と同一であっても異なっていてもよい。同一の場合は、密度に差を持たせることにより融点に差を生じさせることができる。例えば、両者の熱可塑性樹脂としてポリエチレンを選択する場合、発泡熱可塑性樹脂層は低密度ポリエチレンとし、非発泡熱可塑性樹脂層は中密度または高密度ポリエチレンとする。発泡熱可塑性樹脂層と非発泡熱可塑性樹脂層の熱可塑性樹脂における融点の差は５℃以上あることが好ましく、非発泡熱可塑性樹脂層の熱可塑性樹脂の融点としては、加熱の際に融解せず蒸発水分の拡散を防止できればよく特に制限されないが、１２５℃以上が好ましい。
【００３７】
発泡熱可塑性樹脂層および非発泡熱可塑性樹脂層の形成方法は特に制限されず、紙基材上に、押出しラミネート法の他、ウェットラミネート法、ドライラミネート法等の予めフィルム状にしたものと貼合する方法を適宜使用して積層すればよいが、紙基材との密着性、発泡性等の点から、押出しラミネート法が好ましい。押出しラミネートは、例えば、巻取から繰り出された紙基材の一表面に、Ｔダイから熱可塑性樹脂層を溶融樹脂膜の状態で押出し、クーリングロールとこれに対向するニップロールとの間で冷却しつつ圧着する方法である。押出しラミネートにおいて、樹脂の溶融温度、積層速度などの操業条件は、用いる樹脂の種類や装置によって適宜設定すればよく特に制限されないが、一般に、例えば溶融温度は２００〜３５０℃程度、積層速度は５０〜２００ｍ／分程度である。また、ニップロールとしては硬度７０度以上（ＪＩＳ  Ｋ−６２５３）のものを用い、線圧は１５ｋｇｆ／ｃｍ以上で押圧・圧着を行うことが好ましい。
【００３８】
また、発泡熱可塑性樹脂層上に非発泡熱可塑性樹脂層を設ける場合や、発泡熱可塑性樹脂層を複数の熱可塑性樹脂層で形成する場合など、２以上の熱可塑性樹脂層を積層するときは、熱可塑性樹脂層間の密着性や生産効率の点から、複数台の押出機を用いて各熱可塑性樹脂を溶融状態でそれぞれのＴダイに導き、各Ｔダイから同時に押出して積層接着する方法が適している。このような多層の熱可塑性樹脂層を同時に形成可能な方法は、押出しラミネート法の中で特に共押出しラミネート法と呼ばれる。さらに、熱可塑性樹脂層同士の間に接着性樹脂層を挟んで、樹脂層間の接着性を高めてもよい。なお、いずれの場合でも、必要に応じて紙基材や熱可塑性樹脂の接着性を向上させるために、コロナ処理、オゾン処理等を行ってもよい。
【００３９】
また、発泡熱可塑性樹脂層および非発泡熱可塑性樹脂層の各熱可塑性樹脂層の厚さについて、発泡熱可塑性樹脂層は、発泡させたときに所望の断熱性を付与するのに十分な厚さであればよく特に限定されないが、発泡前の厚さとして４０〜８０μｍ程度、発泡後は例えば７０μｍ厚の発泡前の熱可塑性樹脂層の場合に、１２００μｍ〜２０００μｍ程度である。本発明では、７０μｍ厚の発泡前の熱可塑性樹脂層を、１２００〜１６００μｍ厚の発泡層を形成することを実現した。従来技術では２０μｍの層厚等の薄い層を１０倍程度に発泡させた例は開示されているが、その程度では断熱性が十分でないが、熱可塑性樹脂層が厚くなると発泡コントロールも困難となるので、従来の公知例では１０００μｍの発泡層も実現されてはいない。
【００４０】
また、非発泡熱可塑性樹脂層も、蒸発水分の飛散を防止するのに十分な厚さであって、胴部材の内壁面側に存在する場合は耐液体浸透性を確保きる厚さであれば特に限定されず、２０〜５０μｍ程度である。
【００４１】
また、容器の胴部材や底部材の外壁面側および内壁面側は、同じ積層構成であってもよいし異なっていてもよい。使用される樹脂の種類やその他の素材も、同一であってもよいし異なっていてもよい。
【００４２】
また、発泡熱可塑性樹脂層および非発泡熱可塑性樹脂層の各熱可塑性樹脂層には、所望の効果を阻害しない範囲で一般的に使用される種々の添加剤を添加することができる。これらの添加剤としては、例えば、帯電防止剤、白色顔料（酸化チタン、炭酸カルシウム、クレー、タルク、シリカ等の無機顔料等）、耐ブロッキング剤（アクリルビーズ、ガラスビーズ、シリカ等）、紫外線吸収剤などがある。
【００４３】
本発明では、上記の胴部材原材料シートと底板部材原料シートとを常用のカップ製造装置やカップ成型機により成型する。まず、巻き取りロールから胴部材原材料シートを繰り出し、所定箇所に必要な印刷を施す。この段階でバーコードなどを印刷することもできる。印刷部分の位置決めなどは常用の手段または手順により行うことができる。
【００４４】
次に、それぞれの原材料シートから胴部材用ブランクと底板部材用ブランクを打ち抜き、常用のカップ成型機で容器の形に組み立てる。ここで、発泡熱可塑性樹脂層は、胴部材の外壁面側および内壁面側のどちらか片方あるいは両方に存在すればよく、断熱性、手触り、外観審美性など所望に応じて適宜決定すればよいが、容器内部を発泡面とした場合、飲食の際に発泡樹脂が箸やフォーク等により傷付いて口の中に入り込むおそれがあるため、外壁面側になるように存在することが望ましい。そこで、例えば、胴部材原材料シートの熱可塑性樹脂層が容器外側に向くように、また、底板部材は熱可塑性樹脂層面が容器内側に向くようにして、組み立てる。なお、底板部材原材料シートは、紙基材の少なくとも片面に１以上の熱可塑性樹脂層やアルミ泊等を設けたものが好ましく使用される。これは紙中への液体等の浸透防止のためである。底板部材に用いられる熱可塑性樹脂は、胴部材と同じであっても異なっていてもよく、積層方法も押出しラミネート法の他、ウェットラミネート法、ドライラミネート法等の予めフィルム状にしたものと貼合する方法が適宜使用できる。
【００４５】
カップ麺など湯を注入後しばらく放置するものは、容器底面からの放熱を防止する上で底部材にも発泡層を設けることが有効である。特に、屋外での用途や冬場や寒冷地では好ましい。また、蓋材も同様に発泡層を有するものを使用してもよい。
【００４６】
成型後の紙製容器は、発泡させるために加熱処理を行う。本発明では、加熱処理により、胴部材の紙基材中に含まれる水分が蒸発して、熱可塑性樹脂層が発泡し発泡熱可塑性樹脂層となる。
【００４７】
加熱温度および熱時間は使用する紙基材および熱可塑性樹脂の種類に応じて変化し、使用する熱可塑性樹脂に対する最適な加熱温度と加熱時間の組み合わせは適宜決定することができるが、加熱温度は発泡する熱可塑性樹脂の融点よりもやや高い温度（融点＋５〜１０℃の範囲）が適し、一般的に、加熱温度約１１０℃〜約２００℃程度、加熱時間約１分間〜約６分間程度である。加熱手段は特に限定されず、熱風、電熱、電子線など任意の手段を使用できる。コンベヤによる搬送手段を備えたトンネル内で、熱風または電熱などによって加熱すれば、安価に大量生産することができる。
【００４８】
本発明では、所望の効果を損なわない範囲で、必要に応じて、紙製容器の分野で公知の技術を適用することができる。例えば、外壁面となる胴部材の一部に合成樹脂成分を５wt％〜４０wt％含有する塗料を塗布し、部分的に発泡を抑制する技術（特許第３０１４６２９号公報）、外壁面となる胴部材の表面に発泡と同調して滑らかな印刷面を形成する同調インキを塗布する技術（特許第３４０８１５６号公報）、容器胴部材の開口上縁にフランジ部を設ける技術であって、断面角型に強制加工し内側巻き込み端をフランジ部の上部に重合させて二重構造にする技術（特開２００１−３５４２２６号公報）等が挙げられるが、これらに制限されるものではない。また、印刷適性を高めるために、胴部材の外壁面となる最表層に、顔料とバインダーを主成分とするインキ受理層を設けてもよい。
【実施例】
【００４９】
以下、実施例により本発明の効果を詳細に説明する。なお、特に断らない限り、部および％は重量部および重量％を示す。
【００５０】
［実施例１］
針葉樹晒クラフトパルプ（ＮＢＫＰ；カナダ標準濾水度（ＣＳＦ）６００ｍｌ）１０部と広葉樹晒クラフトパルプ（ＬＢＫＰ；ＣＳＦ４００ｍｌ）９０部を混合し、混合後の濾水度がＣＳＦ４２０ｍｌのパルプ原料に、内添薬品として固形分で対パルプ絶乾重量当り、硫酸バンド１．２５％、ロジンサイズ剤０．５％、紙力剤としてポリアクリルアミド０．２％を添加し、ｐＨが４．５である原料を、長網抄紙機にて抄速４０ｍ／分で単層抄きし、坪量３００ｇ／ｍ２、紙厚３４１μｍの紙匹を作製した。
次いで、得られた紙匹をカレンダーサイジング（線圧３０ｋｇｆ／ｃｍ）にて、ポリビニルアルコール（固形分濃度２％）とグリセリン（固形分濃度９９．９％）の絶乾塗工量が０．６５ｇ／ｍ２となるように塗工し（ポリビニルアルコールの絶乾塗工量０．２６ｇ／ｍ２、グリセリンの絶乾塗工量０．３９ｇ／ｍ２）、赤外線ドライヤーにて乾燥後、線圧３０ｋｇｆ／ｃｍでカレンダー処理を行い、原紙を得た。２３℃、５０％（相対湿度）で調湿後の水分は５．５９％であった。
【００５１】
［実施例２］
グリセリンの濃度を５％とし、グリセリンの絶乾塗工量が０．６５ｇ／ｍ２、トータルの絶乾塗工量が０．９２ｇ／ｍ２とした以外は、実施例１と同様にして成紙した。２３℃、５０％（相対湿度）で調湿後の水分は５．６３％であった。
【００５２】
［実施例３］
グリセリンの濃度を７％とし、グリセリンの絶乾塗工量が０．７６ｇ／ｍ２、トータルの絶乾塗工量が１．１９ｇ／ｍ２とした以外は、実施例１と同様にして成紙した。２３℃、５０％（相対湿度）で調湿後の水分は５．６８％であった。
【００５３】
[実施例４]
２ロールサイズプレスにて、グリセリンの絶乾塗工量が０．５５ｇ／ｍ２、トータルの絶乾塗工量が０．９２ｇ／ｍ２とした以外は、実施例１と同様にして成紙した。２３℃、５０％（相対湿度）で調湿後の水分は５．６１％であった。
【００５４】
［実施例５］
ゲートロールコーターにて、グリセリンの絶乾塗工量が０．４３ｇ／ｍ２、トータルの絶乾塗工量が０．７２ｇ／ｍ２とした以外は、実施例１と同様にして成紙した。２３℃、５０％（相対湿度）で調湿後の水分は５．５９％であった。
【００５５】
［実施例６］
紙匹の坪量を３２０ｇ／ｍ２にした以外は、実施例１と同様にして成紙した。２３℃、５０％（相対湿度）で調湿後の水分は５．７５％であった。
【００５６】
［実施例７］
バインダーとして澱粉を用い、グリセリンの濃度を３％とし、グリセリンの絶乾塗工量が０．３９ｇ／ｍ２、トータルの絶乾塗工量が０．６６ｇ／ｍ２とした以外は、実施例１と同様にして成紙した。２３℃、５０％（相対湿度）で調湿後の水分は５．５８％であった。
【００５７】
[比較例１]
グリセリンの濃度を０％とし、グリセリンの絶乾塗工量が０ｇ／ｍ２、トータルの絶乾塗工量が０．２６ｇ／ｍ２とした以外は、実施例１と同様にして成紙した。２３℃、５０％（相対湿度）で調湿後の水分は５．５５％であった。
【００５８】
［比較例２］
グリセリンの濃度を１％とし、グリセリンの絶乾塗工量が０．１７ｇ／ｍ２、トータルの絶乾塗工量が０．４１ｇ／ｍ２とした以外は、実施例１と同様にして成紙した。２３℃、５０％（相対湿度）で調湿後の水分は５．５６％であった。
【００５９】
［比較例３］
グリセリンの濃度を９％とし、グリセリンの絶乾塗工量が０．９６ｇ／ｍ２、トータルの絶乾塗工量が１．３９ｇ／ｍ２とした以外は、実施例１と同様にして成紙した。２３℃、５０％（相対湿度）で調湿後の水分は５．７％であった。
【００６０】
[比較例４]
紙匹の坪量を３２０ｇ／ｍ２にし、グリセリンの濃度を０％とした以外は、実施例１と同様にして成紙した。２３℃、５０％（相対湿度）で調湿後の水分は５．７１％であった。
【００６１】
［比較例５］
バインダーとして澱粉を用い、グリセリンの濃度を０％とし、グリセリンの絶乾塗工量が０ｇ／ｍ２、トータルの絶乾塗工量が０．２７ｇ／ｍ２とした以外は、実施例１と同様にして成紙した。２３℃、５０％（相対湿度）で調湿後の水分は５．５５％であった。
【００６２】
［比較例６］
エリトリトールの濃度を１％とし、エリトリトールの絶乾塗工量が０．１４ｇ／ｍ２、トータルの絶乾塗工量が０．４２ｇ／ｍ２とした以外は、実施例１と同様にして成紙した。２３℃、５０％（相対湿度）で調湿後の水分は５．５４％であった。
【００６３】
［比較例７］
エリトリトールの濃度を５％とし、エリトリトールの絶乾塗工量が０．６５ｇ／ｍ２、トータルの絶乾塗工量が０．９１ｇ／ｍ２とした以外は、実施例１と同様にして成紙した。２３℃、５０％（相対湿度）で調湿後の水分は５．５５％であった。
【００６４】
［比較例８］
キシリトールの濃度を１％とし、キシリトールの絶乾塗工量が０．１４ｇ／ｍ２、トータルの絶乾塗工量が０．４３ｇ／ｍ２とした以外は、実施例１と同様にして成紙した。２３℃、５０％（相対湿度）で調湿後の水分は５．５６％であった。
【００６５】
［比較例９］
キシリトールの濃度を５％とし、キシリトールの絶乾塗工量が０．６６ｇ／ｍ２、トータルの絶乾塗工量が０．９２ｇ／ｍ２とした以外は、実施例１と同様にして成紙した。２３℃、５０％（相対湿度）で調湿後の水分は５．５７％であった。
【００６６】
［比較例１０］
ソルビトールの濃度を１％とし、ソルビトールの絶乾塗工量が０．１７ｇ／ｍ２、トータルの絶乾塗工量が０．４１ｇ／ｍ２とした以外は、実施例１と同様にして成紙した。２３℃、５０％（相対湿度）で調湿後の水分は５．５５％であった。
【００６７】
［比較例１１］
ソルビトールの濃度を５％とし、ソルビトールの絶乾塗工量が０．６６ｇ／ｍ２、トータルの絶乾塗工量が０．９３ｇ／ｍ２とした以外は、実施例１と同様にして成紙した。２３℃、５０％（相対湿度）で調湿後の水分は５．５６％であった。
【００６８】
実施例１〜７、比較例１〜１１で得られた原紙の片面に、紙製容器としたとき胴部材の外壁面となる発泡熱可塑性樹脂層として、融点１０８℃の低密度ポリエチレン（ＬＤＰＥ）を厚さ７０μｍとなるように３４０℃の溶融温度で押出し、この溶融樹脂と原紙とをクーリングロールと硬度７０度のニップロールを用いて、線圧１５ｋｇｆ／ｃｍで押圧・圧着した。また、原紙の反対面には、胴部材の内壁面となる非発泡熱可塑性樹脂層として、融点１２８℃の中密度ポリエチレン（中密度ＰＥ）を厚さ４０μｍとなるように、３２０℃の溶融温度で押出しラミネートし、胴部材原材料シートを得た。
【００６９】
また、この胴部材原材料シートを、底板部材原材料シート（坪量３００ｇ／ｍ２の原紙に中密度ポリエチレンを厚さ４０μｍとなるように押出しラミネートしたもの）と組み合わせて、直径９５ｍｍ、高さ１１５ｍｍの容器を成型し、１１７℃の乾燥機で４分間加熱し発泡させ、断熱性を有する紙製容器を得た。
＜発泡性（発泡樹脂層厚さ）＞
発泡後の紙製容器の胴部材の一部を切り出し、発泡した熱可塑性樹脂層の厚さを測定した。なお、発泡樹脂層厚さが１．３５ｍｍ以上であれば、断熱性は十分である。なお、表１中で測定不能としたものは、原紙と発泡熱可塑性樹脂層の接着性が不良で、原紙と発泡熱可塑性樹脂層の間で部分的に浮きを生じ、この部分が発泡処理後発泡層が収縮してしまうので、熱可塑性樹脂層の厚さが不均一となり、厚さの測定が不可能となる。
＜テーバー剛度＞
ＪＩＳ  Ｐ  ８１２５：2000に従い、実施例、比較例で得られた原紙のテーバー剛度、及び上述の方法で原紙に発泡熱可塑性樹脂層及び非発泡熱可塑性樹脂層を設けた胴部材原材料シートのテーバー剛度について、各々ＭＤ方向、ＣＤ方向について測定した。
【００７０】
【表１】
2009243015.tif 000003
【００７１】
【表２】
2009243015.tif 000004
【００７２】
各実施例、比較例の試験結果から次のことがいえる。
（１）実施例１、２、３に着目すると、グリセリンを用いた場合、絶乾塗工量が多いほど、原紙の平衡水分が高くなり、発泡厚みが厚くなる。ただし、比較例１のようにグリセリンを無添加、あるいは比較例２のようにグリセリンの絶乾塗工量が少なすぎると、平衡水分が高くならず、十分な効果が得られない。また、比較例３のようにグリセリンの絶乾塗工量が多すぎると平衡水分が高くなりすぎて頭打ちとなるため、これ以上グリセリンの絶乾塗工量を増やしても平衡水分の大きな上昇は見込めない上、テーバー剛度が低下し、加工適性が低下する。
（２）また、実施例１〜３と比較例６〜１１をそれぞれ比較すると、炭素数３のグリセリンを用いた実施例１〜３は原紙の平衡水分が高くなり発泡厚みが厚くなったが、炭素数４のエリトリトール（比較例６、７）、炭素数５のキシリトール（比較例８、９）、炭素数６のソルビトール（比較例１０、１１）をそれぞれ用いた場合では、原紙の平衡水分が高くならず、十分な効果が得られないことがわかる。
（３）実施例７および比較例５に着目すると、バインダーとしてポリビニルアルコールの代わりに酸化澱粉を用いても、良好な発泡層が得られることがわかる。
（４）実施例４、５に着目すると、塗工方式は、カレンダーサイジングに限定されるものではなく、２ロールサイズプレス、ゲートロールコーター等の塗工機を用いても良好な発泡層が得られることがわかる。
（５）坪量３２０ｇ／ｍ２の紙匹を用いた実施例６は、十分良好な発泡層を形成し、断熱性に優れていることが確認できた。これに対し、グリセリンを含まず、バインダーとしてポリビニルアルコールを使用した比較例４は、十分な発泡層が得られず、断熱性も十分ではない。
【図面の簡単な説明】
【００７３】
【図１】本発明による紙製容器の一例の断面図である。
【図２】図１においてＹで示された胴部の部分拡大断面図である。
【符号の説明】
【００７４】
１  紙製容器
２  胴部材
３  底板部材
４  紙基材
５  発泡熱可塑性樹脂層
６  発泡セル
７  非発泡熱可塑性樹脂層
【図１】
2009243015.tif 000005
【図２】
2009243015.tif 000006